(57)【要約】      （修正有）【課題】シャフトをヘッドにネジ止めして成るゴルフクラブにおいて，軸方向外力によるネジの緩みを抑制する。【解決手段】ゴルフクラブは，底面に貫通孔が形成された有底筒状のソケット挿入孔を有するヘッド本体１０と，ソケット挿入孔に挿入され，上端面にシャフト挿入孔が形成されるともに下端面にネジ孔が形成されたソケット３０と，シャフト挿入孔に挿入されたシャフト２０と，を備える。ソケット３０は，ヘッド本体１０のソケット挿入孔に挿入した時に、その挿入方向でヘッド本体１０に当接する当接面とソケット挿入孔の内周面に対し回り止めされる係合部を有する。ヘッド本体１０には，ソケット３０の当接面と下端面との間の距離よりも大きな距離だけ底面から離れた位置に，当接面を指示する座面が設けられる。ソケット３０は，ヘッド本体１０のソール１２側から貫通孔を通過したネジ６０がネジ孔と螺合されることによりネジ止めされる。【選択図】図４
2013212185.tif 000002
【特許請求の範囲】
【請求項１】
底面に貫通孔が形成された有底筒状のソケット挿入孔を有するヘッド本体と，
前記ソケット挿入孔に挿入され，上端面にシャフト挿入孔が形成されるともに下端面にネジ孔が形成されたソケットと，
前記シャフト挿入孔に挿入されたシャフトと，
を備え，
前記ソケットは，前記ヘッド本体の前記ソケット挿入孔に挿入した時に、その挿入方向で前記ヘッド本体に当接する当接面と前記ソケット挿入孔の内周面に対し回り止めされる係合部を有し、
前記ヘッド本体には，前記ソケットの当接面と下端面との間の距離よりも大きな距離だけ前記底面から離れた位置に，前記当接面を支持する座面が設けられ，
前記ソケットは，前記ヘッド本体のソール側から前記貫通孔を通過したネジが前記ネジ孔と螺合することによりネジ止めされる，
ゴルフクラブ。
【請求項２】
前記ソケットの上部側の外周面に複数の凸条が形成され，前記凸状が前記ソケット挿入孔の開口側の内周面に形成された複数の凹溝に係合して回り止めされる請求項１に記載のゴルフクラブ。
【請求項３】
前記ソケットの当接面は，前記係合部より上方に設けた請求項１または２に記載のゴルフクラブ。
【請求項４】
前記ソケットの中間部は前記ヘッド本体の前記ソケット挿入孔に対し回り止めされる係合部を有しない請求項１乃至３のいずれか１つに記載のゴルフクラブ。
【請求項５】
前記シャフトの挿入孔の軸方向と前記ソケット挿入孔の軸方向とが０度ではない角度を為す請求項１乃至４いずれか１つに記載のゴルフクラブ。
【請求項６】
前記ソケットはその上部側と下部側のそれぞれに、前記ソケット挿入孔の内周面に回り止め係合する請求項１乃至５いずれか１つに記載のゴルフクラブ。
【請求項７】
前記ソケットの下部側は、多角柱状に形成され前記ソケット挿入孔の内周面に回り止め係合する請求項６に記載のゴルフクラブ。
【発明の詳細な説明】
【技術分野】
【０００１】
本発明は，ゴルフクラブに関し，特に，ヘッドがシャフトと着脱可能なゴルフクラブに関する。
【背景技術】
【０００２】
ヘッドとシャフトとが着脱可能に構成され，ゴルファーが，自らの好みに応じて，ヘッドやシャフトを取り替えることができるゴルフクラブが知られている。
【０００３】
この種のゴルフクラブの開示例がある。例えば，実開平３−２４１６２号公報（特許文献１）には，ヘッドに形成された有底円筒状のソケット挿入孔にソケットの一端を挿入し，当該ソケットの他端に形成されたシャフト挿入口にシャフトを挿入して成るゴルフクラブが開示されている。このゴルフクラブは，ソケット挿入孔の軸方向とシャフト挿入孔の軸方向とが所定角度を為すように構成されているため，ソケットの周方向の回転に応じて，ライ角，ロフト角，及びフェース角が調整される。
【０００４】
ヘッドとシャフトとが着脱可能なゴルフクラブにおいては，使用時にヘッドがシャフトから抜け落ちないようにするため，シャフトがネジ止め等によりシャフトに固定される。上記特許文献１に記載のゴルフクラブにおいては，ソケットの底面にネジ孔が設けられており，ソケット挿入孔の底面に形成された貫通孔にソール側からネジを挿入し，ソケットをヘッドにネジ止めしている。上記特許文献１以外にも，ネジ止めによりヘッドをシャフトに着脱可能に取り付ける手法は，特開２００６−４２９５１号公報（特許文献２），特開２００９−１７８５５６号公報（特許文献３），及び特開２０１０−５３７７３０号公報（特許文献４）などに開示されている。
【先行技術文献】
【特許文献】
【０００５】
【特許文献１】実開平３−２４１６２号公報
【特許文献２】特開２００６−４２９５１号公報
【特許文献３】特開２００９−１７８５５６号公報
【特許文献４】特開２０１０−５３７７３０号公報
【発明の概要】
【発明が解決しようとする課題】
【０００６】
しかしながら，シャフトをソケットを介してヘッドにネジ止めする場合には，ソケットの下端がソケット挿入孔の底面に当接した状態でネジ止めされるため，打球時にネジの締結部分にネジの軸方向の衝撃力が作用し，この外力によるネジの緩みが発生しやすい。
【０００７】
そこで，本発明の実施形態により，シャフトをヘッドにネジ止めして成るゴルフクラブにおいて，軸方向外力によるネジの緩みを抑制する。
【課題を解決するための手段】
【０００８】
一実施形態に係るゴルフクラブは，底面に貫通孔が形成された有底筒状のソケット挿入孔を有するヘッド本体と，前記ソケット挿入孔に挿入され，上端面にシャフト挿入孔が形成されるともに下端面にネジ孔が形成されたソケットと，前記シャフト挿入孔に挿入されたシャフトと，を備える。一実施形態において，前記ソケットは，スカートの下端側のフランジ面を当接面とし，前記ヘッド本体のソケット挿入孔の開口端の前記ソケットの当接面と下端面との間の距離よりも大きな距離だけ前記底面から離れた位置に，前記当接面（フランジ面）を支持する座面が設けられ，前記ソケットは，前記ヘッド本体のソール側から前記貫通孔を通過したネジが前記ネジ孔と螺合することによりネジ止めされる。
【発明の効果】
【０００９】
本実施の形態により，シャフトをヘッドにネジ止めして成るゴルフクラブにおいて，軸方向外力によるネジの緩みを抑制することができる。
【図面の簡単な説明】
【００１０】
【図１】本発明の一実施形態に係るゴルフクラブをフェース面側から見た概略図
【図２】図１に示したゴルフクラブをトゥ側から見た図
【図３】図１に示したゴルフクラブのＡ−Ａ断面図
【図４】図３に示したゴルフクラブのＢ−Ｂ断面図
【図５】図１に示したゴルフクラブの分解図
【図６】図４に示したゴルフクラブのＣ−Ｃ断面図
【図７】図４に示したゴルフクラブのＤ−Ｄ断面図
【図８】本発明の他の実施形態に係るゴルフクラブのＤ−Ｄ断面図
【発明を実施するための形態】
【００１１】
以下，本発明の様々な実施形態を添付図面を参照して説明する。なお，各図面において共通の構成要素には共通の参照符号が付されている。また，各図面は，説明の便宜上，必ずしも正確な縮尺で記載されているとは限らない点に留意されたい。
【００１２】
図１及び図２に示されているように，本発明の一実施形態に係るゴルフクラブ１は，シャフト２０と，シャフト２０の先端に着脱可能に取り付けられたヘッド１０とを備える。
【００１３】
シャフト２０は，常法に従って，様々な金属や繊維強化プラスチック（ＦＲＰ）などから構成される。シャフト２０の基端部には，ゴムや合成樹脂等から成るグリップ２２が設けられている。シャフト２０は，所定のライ角Ｒ，ロフト角Ｌ，及びフェース角を有するように，ヘッド１０に取り付けられる。
【００１４】
ヘッド１０は，チタン合金等から成り，図３に示すように中空構造を有するように形成される。ヘッド１０は，クラウン１１，ソール１２，トゥ１３，ヒール１４，及びフェース１５を備える。
【００１５】
図４は，図３に示したゴルフクラブ１のＢ−Ｂ断面図であり，シャフト２０がヘッド（ヘッド本体）１０に取り付けられた状態を示す。一方，図５は，シャフト２０がヘッド１０から取り外された状態を示す。図４及び図５に示されているとおり，ヘッド１０のヒール１４側上方には，後述するスリーブ状のソケット３０を挿入するためのソケット挿入孔５０が形成されている。一実施形態において，ソケット挿入孔５０は，底部５１を有する有底円筒状に形成される。この底部５１には，後述するネジ６０を受け入れるための貫通孔５２が形成される。貫通孔５２は，ソケット挿入孔５０とヘッド１０のソール１２側とを連絡するように形成される。
【００１６】
一実施形態に係るソケット３０は，図４及び図５に示されているように，連結部３１と，この連結部３１の上方側に設けられ，シャフト２０を挿入するためのシャフト挿入孔４０が形成されたシャフト支持部３２とを備える。連結部３１の下端側には，ネジ６０と螺合されるネジ孔３５が形成されている。連結部３１及びシャフト支持部３２は，ヘッドとシャフトとを連結するために通常用いられる公知のホーゼルと同様の方法で製造することができる。例えば，連結部３１及びシャフト支持部３２は，ステンレス又はチタン合金又はアルミニウム合金等の金属の鋳造材又は鍛造材から成る。
【００１７】
一実施形態において，ソケット３０の下端部側の連結部３１は，図７に示すように円柱状に形成される。連結部３１の断面形状は，任意に変更することができ，例えば図８に示す多角柱状に形成することができる。ソケット３０の下端部側の連結部３１の外周を多角柱状に形成する場合には，ソケット挿入部５０の下段部５６の内周面も連結部３１の形状と対応する多角形断面を有するように形成される。これにより，連結部３１の側面と，これに対向する挿入部５０の下段部５６の内周面とが当接し，ソケット３０を回り止めすることができる。シャフト支持部３２は，連結部３１よりも大径に形成され，これにより両者間に段部が形成され，シャフト支持部３２の下端面３４が露出する。このように，ソケット３０は，その上端にシャフト２０を挿入するためのシャフト挿入孔４０が形成されるとともに中間部がソケット挿入部５０の内周面と係合しない円筒状に形成され，その下端面３６にネジ６０と螺合されるネジ孔３５が形成される。
【００１８】
シャフト支持部３２の上端面（つまり，シャフト２０の基端側の端面）には，シャフト２０の外周面の形状に対応した有底円柱状のシャフト挿入孔４０が形成されている。シャフト挿入孔４０は，シャフト２０の外径よりも若干大径に形成される。シャフト２０は，このシャフト挿入孔４０に挿入される。シャフト２０の外周面とシャフト挿入孔４０の内面は，例えば，任意の接着剤を用いて接着される。シャフト支持部３２の上端付近の外周面には，スカート３８が設けられている。スカート３８は，シャフト２０の先端側から基端側に向かって縮径しており，スカート３８の先端の最も大径の部分がフランジ面（当接面）３９を構成している。ソケット３０の上端側の外周面のスカート３８の先端（下側）付近には，シャフト支持部３２の外周に向けて突出すると共に、軸方向に伸びるように形成された複数の凸条３７を有する係合部３３が形成されている。
【００１９】
一実施形態において，ソケット挿入孔５０は，上述のように，有底円筒状に形成される。ソケット挿入孔５０は，ソケット３０が挿入されたときに挿入部３１を受け入れるように構成された下段部（下方部）５６と，ソケット３０が挿入されたときにシャフト支持部３２を受け入れるように構成された円筒状の中間部５８とソケット３０の係合部３３が収まる開口部（上段部）５８を備える。下段部５６の内径は，挿入部３１の外径よりも若干大径に構成され，上段部５８の内径は，シャフト支持部３２の外径よりも若干大径に構成されている。
【００２０】
図示の通り，ソケット３０がソケット挿入口５０に挿入されると，スカート３８の下側のフランジ面（当接面）３９がソケット挿入孔５０の開口端５９に，直接又はリング等の介在物を介して当接し、開口端５９が座面となる。一実施形態においては，開口端（座面）５９は，ソケット挿入孔５０の内周面の底面５１から所定距離離れた位置に配置される。この底面５１から開口端（座面）５９までの距離は，ソケット３０のフランジ面（当接面）３９と下端面３６との間の距離よりも大きくなるように定められる。これにより，フランジ面（当接面）３９が開口端（座面）５９に突き当たった状態において，連結部３１の下端面３６がソケット挿入孔５０の底面５１へ接触することを防止できる。図４に示す実施形態においては，連結部の下端面３６とシャフト挿入孔５０の底面５１との間に間隙が形成され、この間隙に，ネジ６０に挿通されたネジ６０脱落防止用のワッシャ６１が配置されている。
【００２１】
図４に示すように，ソケット３０は，シャフト挿入孔５０の底面５１と所定の空隙を介して配置された状態で，ネジ６０によりネジ止めされる。このように、ソケット３０は，その下端側でネジ６０によって底面５１側に引かれた状態で支持されるので、その上端側でフランジ面（当接面）３９が開口端（座面）５９に突き当たる方向に付勢される。さらに、ソケット３０の上端側は係合部３３にてソケット挿入孔５０の開口近傍の凹溝５５に係合し回り止めされるため、ソケット３０はソケット挿入孔５０に確実に保持される。このように，ソケット３０は，フランジ面（当接面）３９が，ネジ６０によりネジ止めされる下端部に対し，係合部３３を挟んで反対側に配置されているので，より確実に保持される。
【００２２】
一実施形態においては，上述したシャフト挿入孔３２の軸方向（図４及び図５に一点鎖線で示す）と前記ソケット挿入孔５０の軸方向とが０度ではない所定角度を為すように，各構成部材が形成される。これにより，ソケット３０を回転させると，シャフト２０の軸方向がソケット挿入孔５０の中心軸の周りを回転するので，ソケット３０の回転に応じて，シャフト２０の中心軸の方向とソケット挿入孔５０の軸方向との角度を変更できる。ライ角，ロフト角，及びフェース角は，上述のとおり，シャフト２０の中心軸と，ヘッド１０のソール，フェース面の中心線，フェース面のそれぞれとの角度を意味するから，ヘッド１０に固定されているソケット挿入孔５０の軸方向に対してシャフト２０の中心軸が回転することにより，ライ角，ロフト角，及びフェース角がそれぞれ変化する。このように，シャフト挿入孔３２の軸方向とソケット挿入孔５０の軸方向とが０度ではない所定角度を為すように配置することで，ソケット３０の回転に応じて，ライ角，ロフト角，及びフェース角などのヘッド１０とシャフト２０との角度を調整することができる。
【００２３】
ソケット挿入孔５０の上方側の開口端付近には，係合部５３が設けられている。係合部５３は，ソケット挿入孔５０の内面に，開口から軸方向に延伸するように形成された複数の凹溝５５を有する。この凹溝５５は，ソケット３０がソケット挿入孔５０に挿入された状態でソケット３０の複数の凸条３７と対向する位置に形成される。この凸条３７と凹溝５５とが係合することにより，ソケット３０のソケット挿入孔５０内での周方向の回転が規制され，ソケット３０がソケット挿入孔５０に回り止め結合されることになる。一実施形態においては、図示のように，凸条３７の下端が、係合部５３の底部によって支持される。ソケット３０をソケット挿入孔５０に回り止めする機構は，本明細書に述べたものに限られず，当業者に明らかな様々な方法を用いることができる。また，係合部３３と係合部５３とにより，ソケット３０を回り止め結合したが，これに加えてもう一組の係合部をソケット挿入孔５０の底面５１付近に設けてもよい。ソケット３０の連結部３１を図８に示した多角柱状に形成することにより，ソケット３０は，その上部側と下部側のそれぞれにおいて回り止めされるので，より確実に回り止めされる。また，図８に示した実施形態においては，多角柱状に形成されたソケット３０の下部側がソケット挿入孔５０の内周面と面当たりによって回り止め係合されるので，細かい回動ガタを防止できる。
【００２４】
上記のように構成されたゴルフクラブ１において，シャフト２０をヘッド１０に取り付ける際には，まず，シャフト２０が固定されたソケット３０をソケット挿入孔５０に挿入する。この際，ソケット３０の周方向の位置（複数の凸条３７と凹溝５５の互いの係合位置）を変更することにより，ライ角，ロフト角，及びフェース角をそれぞれ所望の角度に調整することができる。つまり，所望のライ角，ロフト角，及びフェース角が得られるようにソケット３０の周方向位置を決定し，その周方向位置を保持したまま，ソケット３０をソケット挿入孔５０に挿入する。ソケット３０は，フランジ面（当接面）３９が開口端（座面）５９に突き当たるまで挿入される。ソケット３０がソケット挿入孔５０に挿入されると，ソケット３０の係合部３３に設けられた凸条３７と，ソケット挿入孔５０の係合部５３に設けられた凹溝５５とが係合し，ソケット３０の周方向の回動が規制される。これにより，挿入時に調整されたライ角，ロフト角，及びフェース角を使用時にも維持することができる。最後に，ネジ６０をヘッド１０のソール１２側から貫通孔５２を通過させ，連結部３１のネジ孔３５と螺合させる。これにより，シャフト２０がソケット３０を介し，所望のライ角，ロフト角，及びフェース角を有するように，ヘッド１０に対してネジ止めされる。シャフト２０は，ネジ６０により軸方向の移動が規制されるとともに，係合部３３，５３により周方向の回動が規制されるため，設定したライ角等の不意の変更や使用時のヘッド１０の脱落を防止することができる。
【００２５】
本発明の一実施形態においては，開口端（座面）５９から底面５１までの距離が，ソケット３０のフランジ面（当接面）３９と下端面との間の軸方向の長さよりも長くなるようにしたため，ソケット挿入孔５０の底面５１と連結部３１の下端面３６とが当接しない状態で，連結部３１がヘッド１０に対してネジ止めされる。これにより，打球時にフェース面で発生する衝撃力のネジ６０と連結部３１との締結箇所への作用を抑制することができる。つまり，ソケット挿入孔５０の底面５１と連結部３１との間の空隙により，打球時の衝撃力に起因する軸方向外力の締結箇所への伝達を阻害し，軸方向外力に起因するネジ６０の緩みを抑制することができる。これにより，使用時に，ネジ６０の緩みに起因するヘッド１０のガタ付きを抑制することができる。
【００２６】
本明細書で説明された各構成要素の寸法，材料，及び配置は，実施形態中で明示的に説明されたものに限定されず，むしろ本発明の範囲に含まれうる任意の寸法，材料，及び配置を有するように各構成要素を変形することができる。また，本明細書において明示的に説明した以外の構成要素を，説明した実施形態に付加することもできるし，各実施形態において説明した構成要素の一部を省略することもできる。
【符号の説明】
【００２７】
１  ゴルフクラブ
１０  ヘッド
２０  シャフト
３０  ソケット
３９  当接面
４０  シャフト挿入孔
５０  ソケット挿入孔
５９  座面
【図１】
2013212185.tif 000003
【図２】
2013212185.tif 000004
【図３】
2013212185.tif 000005
【図４】
2013212185.tif 000006
【図５】
2013212185.tif 000007
【図６】
2013212185.tif 000008
【図７】
2013212185.tif 000009
【図８】
2013212185.tif 000010